(57)【要約】  患者看護器具の支持・搬送システムであって、固定支持物に連結された第１のアームアセンブリと患者移動車に連結された第２のアームアセンブリを備える。患者看護器具を支持する端部キャップが第１のアームアセンブリおよび第２のアームアセンブリに選択的に取り付けできる。端部キャップを第１および第２のアームアセンブリの一方にロックするためロック手段が設けられる。端部キャップを第１および第２のアームアセンブリの一方にロックした場合のみ、第１および第２のアームアセンブリの他方は端部キャップから取り外し可能になる。【選択図】図１【特許請求の範囲】
【請求項１】
固定支持物に連結された第１のアームアセンブリと、
患者移動車に連結された第２のアームアセンブリと、
患者看護器具を支持する端部キャップ  前記第１のアームアセンブリおよび前記第２のアームアセンブリに選択的に取り付け可能で患者看護器具を支持する端部キャップと、
前記第１および第２のアームアセンブリの一方に前記端部キャップをロックし、前記端部キャップが前記第１および第２のアームアセンブリの前記一方にロックされたときのみ前記第１および第２のアームアセンブリの他方を前記端部キャップから取外し可能にする、前記端部キャップのロック手段と
を備える患者看護器具の支持・搬送システム。
【請求項２】
前記第１のアームアセンブリには回転移動用に前記固定支持物に取り付けられたアームが含まれる、請求項１に記載の支持・搬送システム。
【請求項３】
前記第１のアームアセンブリには互いに回転自在に連結された２つのアームが含まれ、前記２つのアームの一方は前記固定支持物に取り付けられ、前記２つのアームの他方は前記端部キャップに取り付け可能な自由端を有する、請求項２に記載の支持・搬送システム。
【請求項４】
前記アームは水平方向に移動可能である、請求項３に記載の支持・搬送システム。
【請求項５】
前記固定支持物は壁である、請求項３に記載の支持・搬送システム。
【請求項６】
前記第２のアームアセンブリには回転移動用に前記患者移動車に取り付けられたアームが含まれる、請求項１に記載の支持・搬送システム。
【請求項７】
前記第２のアームアセンブリには互いに回転自在に連結された２つのアームが含まれ、前記２つのアームの一方は前記患者移動車に取り付けられ、前記２つのアームの他方は前記端部キャップに取り付け可能な自由端を有する、請求項６に記載の支持・搬送システム。
【請求項８】
前記アームは水平方向に移動可能である、請求項７に記載の支持・搬送システム。
【請求項９】
前記患者移動車に対する前記第２のアームアセンブリの垂直位置を調節する手段をさらに備える、請求項６に記載の支持・搬送システム。
【請求項１０】
前記患者移動車は病室ベッドである、請求項６に記載の支持・搬送システム。
【請求項１１】
前記端部キャップには患者看護器具を前記端部キャップに取り外し可能に取り付ける取付け手段が含まれる、請求項１に記載の支持・搬送システム。  
【請求項１２】
前記取付け手段は鍔クランプである、請求項１１に記載の支持・搬送システム。
【請求項１３】
前記患者看護器具は点滴スタンドである、請求項１１に記載の支持・搬送システム。
【請求項１４】
前記端部キャップには前記第１および第２のアームアセンブリの自由端を受ける寸法の２つの空所が含まれる、請求項１１に記載の支持・搬送システム。
【請求項１５】
前記ロック手段には、
前記第１のアームアセンブリを前記端部キャップにロックする第１の位置と前記第２のアームアセンブリを前記端部キャップにロックする第２の位置との間で移動可能な制御部材と、
各前記ロックピンを前記制御部材に対して所定の位置に配置したとき、前記制御部材を前記第１と第２の位置の間で移動可能にさせる、各前記空所に関連したロックピンと  
が含まれる、請求項１４に記載の支持・搬送システム。
【請求項１６】
前記第１および第２のアームアセンブリの端部が前記端部キャップの空所内に位置したとき、前記ロックピンは前記所定の位置にある、請求項１５に記載の支持・搬送システム。
【請求項１７】
前記ロックピンを前記所定の位置に移動するため前記第１および第２のアームアセンブリの自由端を空所内に挿入したとき、前記自由端は前記ロックピンに作動可能に係合する、請求項１６に記載の支持・搬送システム。
【請求項１８】
前記第２のアームアセンブリを端部キャップからロック解除して取り外し可能にしたとき、前記第１のアームアセンブリは前記端部キャップにロックされる、またはその逆が行われる、請求項１５に記載の支持・搬送システム。
【請求項１９】
各アームアセンブリを前記端部キャップから取り外したとき、関連するロックピンは前記所定の位置からずれる、請求項１５に記載の支持・搬送システム。
【請求項２０】
前記第１および第２のアームアセンブリの端部を前記端部キャップの空所内に位置させたとき、前記ロックピンは前記所定の位置にある、請求項１９に記載の支持・搬送システム。
【請求項２１】
前記ロックピンを前記所定の位置に移動するため前記第１および第２のアームアセンブリの自由端を空所内に挿入したとき、前記自由端は前記ロックピンに作動可能に係合する、請求項２０に記載の支持・搬送システム。
【請求項２２】
点滴スタンドと、
固定支持物に連結された第１のアームアセンブリと、
患者移動車に連結された第２のアームアセンブリと、
患者看護器具を支持する端部キャップ  前記第１のアームアセンブリおよび前記第２のアームアセンブリに選択的に取り付け可能で患者看護器具を支持する端部キャップと、
前記第１および第２のアームアセンブリの一方に前記端部キャップをロックし、前記端部キャップが前記第１および第２のアームアセンブリの前記一方にロックされたときのみ前記第１および第２のアームアセンブリの他方を前記端部キャップから取外し可能にする、前記端部キャップのロック手段と
を組み合わせてなる患者看護器具の支持・搬送システム。
【請求項２３】
前記第１のアームアセンブリには回転移動用に前記固定支持物に取り付けられたアームが含まれる、請求項２２に記載の支持・搬送システム。
【請求項２４】
前記第１のアームアセンブリには互いに回転自在に連結された２つのアームが含まれ、前記２つのアームの一方は前記固定支持物に取り付けられ、前記２つのアームの他方は前記端部キャップに取り付け可能な自由端を有する、請求項２３に記載の支持・搬送システム。
【請求項２５】
前記アームは水平方向に移動可能である、請求項２４に記載の支持・搬送システム。
【請求項２６】
前記固定支持物は壁である、請求項２４に記載の支持・搬送システム。
【請求項２７】
前記第２のアームアセンブリには回転移動用に前記患者移動車に取り付けられたアームが含まれる、請求項２２に記載の支持・搬送システム。
【請求項２８】
前記第２のアームアセンブリには互いに回転自在に連結された２つのアームが含まれ、前記２つのアームの一方は前記患者移動車に取り付けられ、前記２つのアームの他方は前記端部キャップに取り付け可能な自由端を有する、請求項２７に記載の支持・搬送システム。
【請求項２９】
前記アームは水平方向に移動可能である、請求項２８に記載の支持・搬送システム。
【請求項３０】
前記患者移動車に対する前記第２のアームアセンブリの垂直位置を調節する手段をさらに備える、請求項２７に記載の支持・搬送システム。
【請求項３１】
前記患者移動車は病室ベッドである、請求項２７に記載の支持・搬送システム。
【請求項３２】
前記端部キャップには点滴スタンドを前記端部キャップに取り外し可能に取り付ける取付け手段が含まれる、請求項２２に記載の支持・搬送システム。  
【請求項３３】
前記取付け手段は鍔クランプである、請求項３２に記載の支持・搬送システム。
【請求項３４】
前記点滴スタンドは前記端部キャップに螺合する、請求項３２に記載の支持・搬送システム。
【請求項３５】
前記端部キャップには前記第１および第２のアームアセンブリの自由端を受ける寸法の２つの空所が含まれる、請求項３２に記載の支持・搬送システム。
【請求項３６】
前記ロック手段には、
前記第１のアームアセンブリを前記端部キャップにロックする第１の位置と前記第２のアームアセンブリを前記端部キャップにロックする第２の位置との間で移動可能な制御部材と、
各前記ロックピンを前記制御部材に対して所定の位置に配置したとき、前記制御部材を前記第１と第２の位置の間で移動可能にさせる、各前記空所に関連したロックピンと  
が含まれる、請求項３５に記載の支持・搬送システム。
【請求項３７】
前記第１および第２のアームアセンブリの端部が前記端部キャップの空所内に位置したとき、前記ロックピンは前記所定の位置にある、請求項３６に記載の支持・搬送システム。
【請求項３８】
前記ロックピンを前記所定の位置に移動するため前記第１および第２のアームアセンブリの自由端を空所内に挿入したとき、前記自由端は前記ロックピンに作動可能に係合する、請求項３７に記載の支持・搬送システム。
【請求項３９】
前記第２のアームアセンブリを端部キャップからロック解除して取り外し可能にしたとき、前記第１のアームアセンブリは前記端部キャップにロックされる、またはその逆が行われる、請求項３６に記載の支持・搬送システム。
【請求項４０】
各アームアセンブリを前記端部キャップから取り外したとき、関連するロックピンは前記所定の位置からずれる、請求項３６に記載の支持・搬送システム。
【請求項４１】
前記第１および第２のアームアセンブリの端部を前記端部キャップの空所内に位置させたとき、前記ロックピンは前記所定の位置にある、請求項４０に記載の支持・搬送システム。
【請求項４２】
前記ロックピンを前記所定の位置に移動するため前記第１および第２のアームアセンブリの自由端を空所内に挿入したとき、前記自由端は前記ロックピンに作動可能に係合する、請求項４１に記載の支持・搬送システム。
【請求項４３】
第１の構造物に連結された第１のアームアセンブリと、
第２の構造物に連結された第２のアームアセンブリと、
患者看護器具を支持する端部キャップ  前記第１のアームアセンブリおよび前記第２のアームアセンブリに選択的に取り付け可能で患者看護器具を支持する端部キャップと、
前記第１および第２のアームアセンブリの一方に前記端部キャップをロックし、前記端部キャップが前記第１および第２のアームアセンブリの前記一方にロックされたときのみ前記第１および第２のアームアセンブリの他方を前記端部キャップから取外し可能にする、前記端部キャップのロック手段と
を備える患者看護器具の支持・搬送システム。
【請求項４４】
前記第１のアームアセンブリには回転移動用に前記第１の構造物に取り付けられたアームが含まれる、請求項４３に記載の支持・搬送システム。
【請求項４５】
前記第１のアームアセンブリには互いに回転自在に連結された２つのアームが含まれ、前記２つのアームの一方は前記第１の構造物に取り付けられ、前記２つのアームの他方は前記端部キャップに取り付け可能な自由端を有する、請求項４４に記載の支持・搬送システム。
【請求項４６】
前記第１の構造物は固定支持物である、請求項４５に記載の支持・搬送システム。
【請求項４７】
前記固定支持物は壁である、請求項４６に記載の支持・搬送システム。
【請求項４８】
前記第１の構造物は患者移動車である、請求項４５に記載の支持・搬送システム。
【請求項４９】
前記第２のアームアセンブリには回転移動用に前記第２の構造物に取り付けられたアームが含まれる、請求項４３に記載の支持・搬送システム。
【請求項５０】
前記第２のアームアセンブリには互いに回転自在に連結された２つのアームが含まれ、前記２つのアームの一方は前記第２の構造物に取り付けられ、前記２つのアームの他方は前記端部キャップに取り付け可能な自由端を有する、請求項４９に記載の支持・搬送システム。
【請求項５１】
前記第２の構造物は固定支持物である、請求項５０に記載の支持・搬送システム。
【請求項５２】
前記第２の構造物は患者移動車である、請求項５０に記載の支持・搬送システム。
【請求項５３】
前記端部キャップには患者看護器具を前記端部キャップに取り外し可能に取り付ける取付け手段が含まれる、請求項４３に記載の支持・搬送システム。  
【請求項５４】
前記取付け手段は鍔クランプである、請求項５３に記載の支持・搬送システム。
【請求項５５】
前記患者看護器具は点滴スタンドである、請求項４３に記載の支持・搬送システム。
【請求項５６】
前記点滴スタンドは前記端部キャップに螺合する、請求項５５に記載の支持・搬送システム。
【請求項５７】
前記端部キャップには前記第１および第２のアームアセンブリの自由端を受ける寸法の２つの空所が含まれる、請求項５３に記載の支持・搬送システム。
【請求項５８】
前記ロック手段には、
前記第１のアームアセンブリを前記端部キャップにロックする第１の位置と前記第２のアームアセンブリを前記端部キャップにロックする第２の位置との間で移動可能な制御部材と、
各前記ロックピンを前記制御部材に対して所定の位置に配置したとき、前記制御部材を前記第１と第２の位置の間で移動可能にさせる、各前記空所に関連したロックピンと  
が含まれる、請求項５７に記載の支持・搬送システム。
【請求項５９】
前記第１および第２のアームアセンブリの端部が前記端部キャップの空所内に位置したとき、前記ロックピンは前記所定の位置にある、請求項５８に記載の支持・搬送システム。
【請求項６０】
前記ロックピンを前記所定の位置に移動するため前記第１および第２のアームアセンブリの自由端を空所内に挿入したとき、前記自由端は前記ロックピンに作動可能に係合する、請求項５９に記載の支持・搬送システム。
【請求項６１】
前記第２のアームアセンブリを端部キャップからロック解除して取り外し可能にしたとき、前記第１のアームアセンブリは前記端部キャップにロックされる、またはその逆が行われる、請求項５８に記載の支持・搬送システム。
【請求項６２】
各アームアセンブリを前記端部キャップから取り外したとき、関連するロックピンは前記所定の位置からずれる、請求項５８に記載の支持・搬送システム。
【請求項６３】
前記第１および第２のアームアセンブリの端部を前記端部キャップの空所内に位置させたとき、前記ロックピンは前記所定の位置にある、請求項６２に記載の支持・搬送システム。
【請求項６４】
前記ロックピンを前記所定の位置に移動するため前記第１および第２のアームアセンブリの自由端を空所内に挿入したとき、前記自由端は前記ロックピンに作動可能に係合する、請求項６３に記載の支持・搬送システム。
【発明の詳細な説明】
【技術分野】
【０００１】
本発明は一般に搬送システムに関し、特に患者の看護に使用する１つ以上の医療器具を支持および搬送するシステムに関する。
【背景技術】
【０００２】
新しい病院および医療設備において非常に多くの医療器具が患者の看護および処置に使用される。この点、患者は静脈点滴（ＩＶ）流体を制御するポンプ、モニター、酸素タンク、電気ストリップなどの異なる多くの医療器具に連結されるのが普通である。典型的にはこれらの医療器具は通常「点滴スタンド」と呼ばれる垂直のスタンドに取り付けられる。点滴スタンドは病室ベッドに隣接して配置できるかベッドとともに別の場所に搬送できる車輪の付いた基台に支持されることが知られている。
【０００３】
最近、患者に普段取り付けられる医療器具のサイズおよび数が増加し、このような器具を支持するためより頑丈な点滴スタンド構造が要求される。このため、点滴スタンドおよびそれに付属する医療器具は患者の近くに確実に支持される必要がある。この点、点滴スタンドおよびその付属器具を剛体の壁または柱に取り付けることが点滴スタンドの良好な構造支持となるのでより好ましくなっている。
【０００４】
同時に患者および患者に有効に連結された器具を医療処置または検査のため病院内の別の場所に搬送することが頻繁に必要となる。このとき、点滴スタンドおよび医療機器を別の場所に移動するため、壁または柱の支持から外して病室ベッドに、または別の患者移動車に簡単に移動する必要がある。
【発明の開示】
【発明が解決しようとする課題】
【０００５】
本発明は壁支持物と患者移動車の間で１つ以上の医療機器を支持し搬送する支持搬送システムであり、ある場所から別の場所へ、またはその逆に確実に移動する支持搬送システムを提供する。
【課題を解決するための手段】
【０００６】
本発明によると、固定支持物に連結された第１のアームアセンブリおよび患者移動車に連結された第２のアームアセンブリからなる患者看護器具用支持・搬送システムが提供される。患者看護器具を支持する端部キャップが第１のアームアセンブリおよび第２のアームアセンブリに選択的に取り付け可能である。第１および第２のアームアセンブリの一方に端部キャップをロックするロック手段が設けられる。第１および第２のアームアセンブリの一方に端部キャップをロックしたときのみ、第１および第２のアームアセンブリの他方は端部キャップから取り外し可能となる。
【０００７】
本発明の別の態様によると、点滴スタンド、第１の構造物に連結可能な第１のアームアセンブリ、第２の構造物に連結可能な第２のアームアセンブリ、および患者看護器具を支持する端部キャップを組み合わせたものが提供される。端部キャップは第１のアームアセンブリおよび第２のアームアセンブリに選択的に取り付け可能である。第１および第２のアームアセンブリの一方に端部キャップをロックするロック手段が設けられる。第１および第２のアームアセンブリの一方に端部キャップをロックしたときのみ、第１および第２のアームアセンブリの他方は端部キャップから取り外し可能となる。
【０００８】
本発明の別の態様によると、第１の構造物に連結可能な第１のアームアセンブリ、第２の構造物に連結可能な第２のアームアセンブリからなる患者看護器具用支持・搬送システムが提供される。患者看護器具を支持する端部キャップが第１のアームアセンブリおよび第２のアームアセンブリに選択的に取り付け可能である。第１および第２のアームアセンブリの一方に端部キャップをロックするロック手段が設けられる。第１および第２のアームアセンブリの一方に端部キャップをロックしたときのみ、第１および第２のアームアセンブリの他方は端部キャップから取り外し可能となる。
【発明の効果】
【０００９】
本発明の利点は固定支持物と患者移動車との間で患者看護器具を移動できる支持・搬送
システムにある。
本発明の別の利点は１つ以上の医療器具を付けた１つ以上の点滴スタンドを固定支持物と患者移動車の間で移動できる支持・搬送システムにある。
【００１０】
本発明の別の利点は点滴スタンドおよび付属器具を固定支持物から患者移動車に、およびその逆に、または２つの患者移動車で確実に移動が保証される支持・搬送システムにある。
【００１１】
本発明のさらに別の利点は点滴スタンドを固定支持物または患者移動車のいずれか一方に物理的にロックする支持・搬送システムにある。
本発明のさらに別の利点は点滴スタンドおよびその付属器具が患者移動車または壁支持物のいずれか一方にロックされたことを表示する支持・搬送システムにある。
【００１２】
本発明の別の利点は患者および患者に作動可能に取り付けられた点滴備品が病院内のある場所から別の場所へ迅速に移動できる支持・搬送システムにある。
これらの対象は付帯する図面および特許請求の範囲とともに以下の好ましい実施形態の記載から明らかになる。
【発明を実施するための最良の形態】
【００１３】
図面を参照するに際して、図面は発明の好ましい実施形態を説明する目的だけのものであり、発明を限定する目的ではないことに留意されたい。図１は本発明の好ましい実施形態を説明するものであり、患者看護器具１２を固定支持物１４と患者移動車１６の間で搬送する支持・搬送システム１０を示す側面図である。ここで使用する用語「固定支持物」は、限定はしないが例えば、壁、支持物、患者頭部の壁または構造支持柱などの不変の剛構造物を意味する。用語「患者移動車」は、限定はしないが例えば、病室ベッド、病院担架、手術椅子または車椅子など、１つの場所から別の場所に患者を支持・搬送するのに使用するいずれかの種類の医療構造物を意味する。実施形態では、固定支持物１４は壁２２で構成され、患者移動車１６は枠１２とマットレス３６を有する病室ベッド３２で構成される。実施形態では、患者看護器具１２は通常の静脈点滴溶液バッグ４４を支持する点滴スタンド４２で構成される。しかし、明細書をさらに読み進むとわかるように、システム１０は別の種類の患者看護器具１２を支持・搬送するに際しても有利に適用される。
【００１４】
実施形態に示すように、支持・搬送システム１０は壁２２に取り付けた第１のアームアセンブリ５０と、病室ベッド３２に取り付けた第２のアームアセンブリ９０と、患者看護器具１２を支持する端部キャップ２００とで構成され、端部キャップ２００は第１または第２のアームアセンブリのいずれか一方に連結可能である。
【００１５】
実施形態に示すように、第１のアームアセンブリ５０は基端アーム５２と先端アーム５４で構成される。第１のアームアセンブリ５０は壁２２に取り付けたブラケット６２に取り付けられる。壁ブラケット６２はそこに取り付けた支持部または取付け部６６を有するプレート６４で構成される。プレート６４は通常の締付け具（図示しない）によって壁２２に固定されるようになっている。実施形態に示すように、取付け部６６はハブ形状である。基端アーム５２は両端に円筒状ハブ５２ａ，５２ｂが形成された細長部材である。基端アーム５２の一端が壁ブラケットに回転自在に連結されるように、ピンを受ける穴開口（図示しない）がハブ５２ａに形成される。この点、基端アーム５２は基端アーム５２の端部をブラケット６２に連結するピン軸の回りに水平面内で回転移動可能である。先端アーム５４は一端にハブ５４ａが形成された細長部材である。先端アーム５４を基端アーム５２に回転自在に取り付けるピンを受ける穴開口がハブ５４ａに形成され、先端アーム５４を基端アーム５２に連結するピン軸の回りで基端アーム５２に対する先端アーム５４の相対移動が可能になる。
【００１６】
図２でよくわかるように、先端アーム５４の自由端にはプレート状延長部７２が形成される。延長部は舌状部分７２ａと矩形側部分７２ｂを有する。当接面７６のある肩部７４が延長部の舌状部分７２ａと矩形側部分７２ｂの間に形成される。溝７８が延長部７２の一方の側面に形成される。図４でよくわかるように、溝７８は一般に半円状である。
【００１７】
以上述べたように、第２のアームアセンブリ９０は実施形態に示すように病室ベッド３２である患者移動車１６に取り付けられる寸法になっている。第２のアームアセンブリ９０には基端アーム９２と先端アーム９４が含まれる。基端アーム９２はその両端に円筒状ハブ９２ａ，９２ｂが形成された細長部材である。図２に示すように、基端アーム９２の一端がベッド枠３４上の垂直支柱１２２に回転自在に取り付けられる寸法の穴開口がハブ９２ａに形成されるが、その詳細は後述する。先端アーム９４は一端にハブ９４ａが形成された細長い蛇状部材である。穴開口がハブ９２ｂ，９４ａに形成され、基端アーム９２が先端アーム９４にピンで連結される。この点、先端アーム９４と基端アーム９２は共にピンで連結され、基端アーム９２に対する先端アーム９４の回転が先端アーム９４を基端アーム９２に連結するピン軸の回りの水平面内で可能になる。図３でよくわかるように、先端アーム９４の自由端は一般に矩形のプレート状延長部１０２を含むように形成される。延長部１０２は舌状部分１０２ａと矩形側部分１０２ｂを有する。図に示すように、舌状部分１０２ａの自由端はその長さの部分にわたってすべての方向にテーパーが付けられる。当接面１０６のある肩部１０４が延長部１０２の舌状部分１０２ａと側部分１０２ｂの間に形成される。第１のアームアセンブリ５０の延長部７２と同様に、半円筒状溝１０８が延長部１０２の一方の面に形成される。延長部１０２の溝１０８は第１のアームセンブリ５０の延長部７２の溝７８と同一形状となる寸法になっている。実施形態に示すように、延長部１０２が先端アーム９４の端部に結合される箇所にテーパー面１１２が形成される。第１および第２のアームアセンブリ５０，９０は十分な構造強度を備える金属材料で形成するのが好ましい。
【００１８】
実施形態に示すように、第２のアームアセンブリ９０は支柱軸１２２の回りに回転するようベッド３２上の垂直円筒状支柱１２２に取り付けられる。第２のアームアセンブリ９０の支柱１２２上の位置を垂直調節する調節手段１３２が設けられる。調節手段１３２はその上端に鍔１３６を有するスリーブ１３４で構成される。スリーブ１３４と鍔１３６は支柱１２２に取り付けられてその外側円筒面にそって移動可能になる寸法になっている。スリーブ１３４の下端には間隔を隔てた複数のソケット１４２を有する傾斜面またはスロープ面１３８が形成される。ソケット１４２は垂直支柱１２２にピン１２４を作動可能に係合させる寸法になっている。スリーブ１３４の回転方向移動により鍔１３６の上面は支持ピン１２４に対する螺旋面１３８の位置に応じて垂直に移動する。鍔１３６の面１３６ａを把持してこれを回転させることで、スリーブ１３４は回転してピン１２４がいずれかのソケット１４２に収まり、これによって鍔１３６の上面および第２のアームアセンブリを昇降させる。
【００１９】
次に図３を参照すると端部キャップ２００がよく理解できる。端部キャップ２００は患者看護器具１２に取り付けられるか、またはその一部となる。実施形態に示すように、点滴スタンド４２が端部キャップ２００に取り付けられる。点滴スタンド４２は普通の点滴溶液バッグ４４を支持するが、限定はしないが例えば、モニター、点滴ポンプ、静脈点滴溶液を含んだバッグ、および他の医療装置も支持することもある。実施形態に示すように、点滴スタンド４２は上部４６と管状の下部４８で構成される。上部４６は下部４８にスライド自在に挿入され、そこから伸縮する。この点、下部４８に対する上部４６の位置は従来知られているようにロックリングまたは鍔４９によって調節できる。
【００２０】
端部キャップ２００には１つ以上の患者看護器具または１つ以上の点滴スタンドを端部キャップに取り付ける付属手段が含まれる。実施形態に示すように、端部キャップ２００は点滴スタンド４２の下部４８を保持する鍔クランプ２１２を含むように形成され、図４および５でよく理解できる。勿論、本発明から逸脱することなく患者看護器具または点滴スタンドを端部キャップ２００に取り付けるのに他の構造装置も使用できる。鍔クランプ１２２は一般にその間に円筒状開口を形成し間隔を保つ２つのクランプアーム２１４，２１６で形成される。ハンドルまたはレバー２２４を備えた締付け具２２２がクランプアーム２１６の開口を通して延伸し、クランプアーム２１６にねじで受けられる。従来理解される方法で、締付け具２２２を回転させて点滴スタンド４２の下部４８の回りにクランプアーム２１４，２１６をともに締め付けて、これを端部キャップ２００に固定する。
【００２１】
上部空所２３２および下部空所２５２が端部キャップ２００に形成される。上部空所２３２および下部空所２５２はそれぞれ第１および第２のアームアセンブリ５０，９０の延長部７２、１０２を受け入れる寸法になっている。延長部７２、１０２が互いに対して所定の調整された方向にあるとき、上部および下部空所２３２、２５２は水平方向で延長部７２，１０２を受ける。
【００２２】
上部空洞２３２は延長部７２の舌状部分７２ａを受ける寸法の一般に矩形の主室２３２ａと、延長部７２の側部分７２ｂを受ける寸法のより小さい側室２３２ｂを備える。円筒状穴２３４が上部空洞２３２に隣接する端部キャップ２００に形成される。図３および５でよくわかるように、穴２３４は主室２３２ａに沿うが主室２３２ａから離れて位置し、側部分２３２ｂに整列して側部分２３２ｂに通じる。同様に、下部空洞２５２は延長部１０２の舌状部分１０２ａを受ける寸法の一般に矩形の主室２５２ａと、延長部１０２の側部分１０２ｂを受ける寸法のより小さい側室２５２ｂを備える。円筒状穴２５４が下部空洞２５２に隣接する端部キャップ２００に形成される。図３および７でよくわかるように、穴２５４は主室２５２ａに沿うが主室２５２ａから離れて位置し、側部分２５２ｂに整列して側部分２５２ｂに通じる。
【００２３】
図５および７でよくわかるように、上部および下部空洞２３２，２５２に形成された円筒状穴２３４，２５４は空洞２３２、２５２の一方側に配置される。言い換えれば、図３に示すように、円筒状穴２３４、２５４のそれぞれの中心軸は一般に垂直な面内に存在し、上部穴２３４は下部穴２５４と平行で下部穴の垂直上方となる。上部穴２３４はロックピン２６２を受ける寸法に、下部穴２５４はロックピン２８２を受ける寸法になっている。
【００２４】
ロックピン２６２，２８２は図１１でよくわかる。ロックピン２６２、２８２は一般に同一であり、したがって一方のみを詳細に記載するが、この記載は他方にも同様に適用される。ロックピン２６２は一般に円筒形状をなし、ピン２６２の一方側にそって平坦な平面２６６が形成された機械加工領域２６４が含まれる。平坦面２６６は一般にピン２６２の軸に平行に延びる。肩面２６８が機械加工領域２６４を形成する平坦面２６６の両端に形成される。半円筒状ノッチ２７２がピン２６２の平坦面２６６に形成される。ノッチ２７２の方向はピン２６２の軸に直交する方向である。ロックピン２６２，２８２は端部キャップ２００の円筒状穴２３４，２５４内にスライド自在に受けられる寸法になっている。図５および７でよくわかるように、螺旋ばね形態の付勢要素２７６、２７８がロックピン２６２，２８２と円筒状穴２３４，２５４の底との間に配置される。図５に示すように、ロックピン２６２，２８２は第１および第２のアームアセンブリ５０，９０の延長部７２，１０２上の面７６、１０６に当接する寸法にされるが、その詳細は後述する。
【００２５】
図１１でよくわかるように、細長円筒状開口２９２が端部キャップ２００を介して延びる。開口２９２の方向は円筒状穴２３４，２５４およびロックピン２６２，２８２に一般に直交する。図４−７に示すように、開口２９２は穴２３４，２５４と部分的に交差する寸法になっている。同様に円筒状開口２９２は空洞２３２、２５２の矩形主室２３２ａ，２５２ａと部分的に交差する。図１１でよくわかるように、円筒状開口２９２は制御棒３００を受ける寸法になっている。制御棒３００は端部キャップを貫通し、突出する端部３１２，３１４を備える寸法になっている。円筒状開口２９２内の位置に制御棒３００をロックするため保持リング３２２を受ける環状溝３１６、３１８が制御棒３００の先端に形成される。制御棒３００の一端にはノブ３３２を受けるようにしたスプライン部３２４が含まれる。ノブ３３２は一般に長円形をなし、一方側には「上部ロック状態」を示す第１のノブ絵記号３３４とノブ３２２の反対側には「下部ロック状態」を示す第２のノブ絵記号３３６が含まれる。制御棒３００は棒の一方側に第１の主平坦部３４４が形成された第１の主切欠き部３４２と、第１の副平坦部３４８が形成された第１の副切欠き部３４６を含むように形成される。図１１に示すように、第２の主平坦部３５４が形成された第２の主切欠き部３５２と第２の副平坦部３５８が形成された第２の副切欠き部３５６が棒３００の反対側、すなわち、前記第１の主および副切欠き部３４２、３４６から１８０°ずれた側に形成される。制御棒３００を端部キャップ２００内に配置すると、第１の主切欠き部３４２と第１の副切欠き部３４６とがそれぞれ主矩形室２３２ａと第１の円筒状穴２３４とにそろい、第２の主切欠き部３５２と第２の副切欠き部３５６とがそれぞれ主矩形室２５２ａと第２の円筒状穴２５４にそろうように、第１の主および副切欠き部３４２，３４６および第２の主および副切欠き部３５２，３５６は制御棒３００にそって寸法的に配置される。
【００２６】
本発明の１つの態様によると、絵記号は制御棒３００の長さにそって設けられる。「ロック状態」を示す第１の棒絵記号は第１の主平面３４４と第２の主平面３５４に設けられる。実施形態に示すように、絵記号３６２は閉鎖位置におけるロックの像である。勿論、さらに明細書を読み進むとわかるように、本発明から逸脱しない範囲でロック状態の別の視覚絵記号を表示することができる。制御棒３００の反対側、すなわち制御棒の第１の絵記号３６２の正反対側の丸い円筒面には「ロック解除状態」が描かれる。図１１でロック解除状態を示す第２の絵記号が第２の主平面３５４の反対側になる制御棒３００の円筒状の丸い部分に表示される。類似する第２の棒絵記号３６４（図１１には示されない）が第１の主平面３４４と反対側の棒３００の円筒状部分に表示される。図１１でよくわかるように、「ロック解除状態」を描いた絵記号３６４はロックが解除位置にあることを示す。図４および６でよくわかるように、円筒状穴開口２９４に通じる開口３７２、３７４が端部キャップ２００に形成され、制御棒３００の絵記号３６２，３６４が見えるようになる。
【００２７】
次に、システム１０のアセンブリとその操作についてさらに以下に述べる。端部キャップ２００とそれに関連する部品は端部キャップ２００が常に第１のアームアセンブリか第２のアームアセンブリ９０のいずれかに取り付けられているように構成される。さらに端部キャップ２００において一方のアームアセンブリは、他方のアームアセンブリが端部キャップ２００にロックされる位置にない限り、ロック解除ができないように構成される。
【００２８】
次に、端部キャップ２００の組み立てを参照すると、点滴スタンド４２を端部キャップ２００に取り付ける前に、アームアセンブリ５０，９０の一方に端部キャップ２００を組み立てて取り付ける。以下に端部キャップ２００を第１のアームアセンブリ５０に組み立てることについて記載する。螺旋ばね２７６，２７８を円筒状穴２３４、２５４内に入れる。次にロックピン２６２，２８２をそれぞれ円筒状穴２３４、２５４内に挿入する。次に第１のアームアセンブリ５０の延長部７２を上部空所２３２の主室２３２ａ内に挿入する。図３に示すように、延長部７２の肩部７４の面７６がロックピン２６２の端部に係合し、ロックピン２６２を付勢ばね２７６に抗して円筒状穴２３４内に押し込む。図４に示すように、ロックピン２６２の寸法は、第１のアームアセンブリ５０の延長部７２が上部空所２３２の矩形室２３２ａ内に完全に挿入されたとき、延長部７２の面の溝７８の位置が端部キャップ２００の円筒状穴開口２９２の位置に合うようになっている。図５に示すように、同時にロックピン２６２を延長部７２の肩部７４によって「作動位置」に移動させるが、この位置ではロックピン２６２の半円筒状ノッチ２７２も円筒状穴開口２９２の位置に合うようになっている。
【００２９】
第１のアームアセンブリ５０の延長部７２が端部キャップ２００の位置に保持されると、工具（図示しない）を使用してロックピン２８２をそれに関連する円筒状穴２５４内に押し込むので、第２のロックピン２８２内のノッチ２７２の位置も円筒状穴開口２９２の位置に整合する。第１および第２のロックピン２６２，２８２および第１のアームアセンブリ５０の延長部７２のすべての位置が円筒状穴開口２９２の位置に整合すると、制御棒３００は端部キャップ２００に挿入できる。制御棒は保持リング３２２によって端部キャップ２００の場所にロックされる。図４および５に示す位置に制御棒３００を回転させ、図４および５に示す位置において制御棒３００によって同時に第１のアームアセンブリ５０の延長部７２と第１のロックピン２６２とを保持する。この位置において、制御棒３００のノブ３３２は棒絵記号３３４が図３に示すように「上部ロック状態」を表示する位置にくる。
【００３０】
制御棒３００が位置にロックされると、下部ロックピン２８２を保持する工具はその場所から取り外すことができる。図７に示すように制御棒３００の第２の副切欠き部３５６は円筒状穴２５４およびロックピン２８２に一致するように揃う。その結果、ロックピン２８２を保持する工具を外すと、付勢ばね２７８が作動してロックピン２８２が円筒状穴２５４から外方向に押し出される。しかし、図７に示すように、ロックピン２８２の平坦面２６６の両端に形成される肩部２６８が制御棒３００に当接してロックピン２８２を穴２５４内に保ち、これによってロックピン２８２が端部キャップ２００から外れるのが防止される。以上の手順は一般に端部キャップ２００の第１のアームアセンブリ５０への組み立てを示す。勿論、端部キャップ２００を最初に同様に第２のアームアセンブリ９０に組み立てることもできる。
【００３１】
一度組み立てると、端部キャップ２００は第１のアームアセンブリ５０にロックされた状態に維持される。この点、図７に示すように、ロックピン２８２の平坦面２６６は制御棒３００の回転を防止するので、制御棒３００の実体部分は図４および５に示す位置に維持される。図４および５に示すように、この位置において第１のアームアセンブリ５０の延長部７２はその場所にロックされ、第１のロックピン２６２の移動は防止される。
【００３２】
図３は端部キャップ２００にロックされた上部アームアセンブリ５０の延長部を示す側面図である。図３に示すように、ノブ３３２のノブ絵記号３３４は延長部７２が上部空所２３２にロックされたことを表示する。同時に、開口３７２，３７４を通して見えるそれぞれの棒絵記号３６２、３６４は、第１のアームアセンブリ２３２が上部空所にロックされ、一方、下部空所２５２に第２のアームアセンブリがある場合は第２のアームアセンブリはロック解除されていることを表示する。
【００３３】
端部キャップ２００を関連する患者看護器具とともに第２のアームアセンブリ９０に移すためには、第２のアームアセンブリ９０の延長部１０２を端部キャップ２００に位置合わせして下部空所２５２内に挿入する。当業者にはわかるように、アームアセンブリ５０，９０と端部キャップ２００内の空所２３２，２５２との正確な位置合わせは現実の状況では困難である。延長部７２，１０２が空所２３２、２５２に対して垂直方向または回転方向にずれるとき、延長部７２，１０２の舌状部分７２ａ，１０２ａのテーパ付き自由端によって端部キャップ２００内への延長部７２，１０２の嵌合が容易になる。この点、延長部７２，１０２をそれぞれ空所２３２，２５２内に挿入したとき、舌状部分７２ａ，１０２ａのテーパ付き自由端によって延長部７２，１０２は強制的に端部キャップ２００に整合される。患者移動車１６上の支柱１２２の調節手段１３２は端部キャップ２００に対する第２のアームアセンブリ９０の高さ調節に使用することができる。第２のアームアセンブリ９０を端部キャップに対して適切な高さにすると、第２のアームアセンブリ９０の延長部１０２を第２の下部空所２５２の矩形主室２５２ａ内に挿入する。図１０に示すように、延長部１０２の肩部１０４の面１０６で第２のロックピン２８２を円筒状穴２５４内に押し込む。延長部１０２が下部空所の室２５２ａ内に完全に挿入されると、延長部１０２の面の半円筒状溝１０８およびロックピン２８２の半円筒状ノッチ２７２の位置は制御棒３００の位置に整合する。位置整合がなされると、制御棒は１８０°回転することができ、制御棒３００の実体部分は延長部１０２の半円筒状溝１０８内に位置し、同様に第２のロックピン２８２内の半円筒状ノッチ２７２内に位置する。この位置において第２のアームアセンブリ９０は端部キャップ２００にロックされる。第２のアームアセンブリ９０が端部キャップ２００にロックされると、制御棒３００の実体部分が回転してアーム延長部７２の溝７８の外側に飛び出すことになり、その結果として第１のアームアセンブリ５０は端部キャップ２００から開放される。その結果、第１のアームアセンブリ５０は端部キャップ２００から自由に滑り出ることが可能となる。制御棒３００は基本的に、第１のアームアセンブリ５０を端部キャップ２００にロックする第１の位置と第２のアームアセンブリ９０を端部キャップ２００にロックする第２の位置との間で移動可能なロック部材である。
【００３４】
このように本発明は患者看護器具１２を１つのアセンブリアームから別のアセンブリアームに移動する支持・搬送システム１０を提供する。この点、患者看護器具１２は固定支持物１４から患者移動車１６に、またはその逆に、または１つの患者移動車１６から別の
患者移動車１６に移動することができる。以上に記載したシステム１０は患者看護器具１２を１つのアームアセンブリに確実にロックして別のアームアセンブリに移動させ、これによって病院器具１２の損傷または患者看護の中断の可能性を減少させることになる。
【００３５】
図１２および１３は本発明の別の実施形態を示す。図１２および１３は端部キャップ４００を示すが、患者看護器具１２、すなわち点滴スタンド４２はねじ取付具４１０によって端部キャップ４００に取り付けできる。同様に図１２は修正された端部キャップ４００を示すが、２つのアームアセンブリ４２０、４３０が類似延長部４３２を有し、どちらかのアームアセンブリ４２０，４３０が端部キャップ４００の上部または下部空所４４２，４５２内に挿入できる。同様に、図１３はアームアセンブリ４２０，４３０の端部キャップ４００内への挿入を容易にするため、一方のアームアセンブリ４２０，４３０をずらす必要を排除するためアームアセンブリ４２０，４３０の端部を曲げる方法を示す。
【００３６】
以上の記載は本発明の特定の実施形態である。これらの実施形態は説明のためにのみ記載されていること、および発明の精神および範囲から逸脱することなく多数の変更や修正が当業者には想到できることを理解されたい。これらの変更および修正は特許請求の範囲またはそれと均等な範囲内にある限り本発明に含まれるものである。
【図面の簡単な説明】
【００３７】
本発明は一定の部分および部分の配置において具体的な形態をとり、その好ましい実施形態は明細書で詳細に記述し、かつ一部を形成する付帯する図面で説明する。
【図１】本発明の好ましい実施形態を説明する点滴スタンドの支持・搬送システムを示す側面図である。
【図２】図１に示す支持・搬送システムの側面図であって、点滴スタンドを壁支持物から患者移動車に搬送した直後のシステムを示す。
【図３】点滴スタンドを壁支持物または患者移動車に取り付ける端部キャップの拡大側面図である。
【図４】図３の線４−４で切断した断面図である。
【図５】図３の線５−５で切断した断面図である。
【図６】図３の線６−６で切断した断面図である。
【図７】図３の線７−７で切断した断面図である。
【図８】図３の線８−８で切断した断面図である。
【図９】図３の線９−９で切断した断面図である。
【図１０】端部キャップに挿入されたアームアセンブリの延長部を示す断面図である。
【図１１】図３に示す端部キャップの分解斜視図である。
【図１２】本発明の別の実施形態を示す端部キャップおよびアームアセンブリの断面図である。
【図１３】図１２に示す端部キャップの上面図である。
【図１】
2008501373.tif 000002
【図２】
2008501373.tif 000003
【図３】
2008501373.tif 000004
【図４】
2008501373.tif 000005
【図５】
2008501373.tif 000006
【図６】
2008501373.tif 000007
【図７】
2008501373.tif 000008
【図８】
2008501373.tif 000009
【図９】
2008501373.tif 000010
【図１０】
2008501373.tif 000011
【図１１】
2008501373.tif 000012
【図１２】
2008501373.tif 000013
【図１３】
2008501373.tif 000014